(57)【要約】【課題】本発明は、記憶媒体が複数ある場合にファイル名を重複させない撮像装置を提供することを目的とする。【解決手段】本発明にかかる撮像装置は、被写体像を撮像し、画像データを生成する撮像手段と、撮像手段により生成された画像データを画像ファイルとして少なくとも２種以上の記憶媒体に記録可能な記録手段と、画像ファイルのファイル名を決定する決定手段と、を備え、決定手段は、記録手段が画像ファイルを記録する記憶媒体の種類に応じて、画像ファイルのファイル名を決定する。【選択図】図１
2010278699.tif 000002
【特許請求の範囲】
【請求項１】
被写体像を撮像し、画像データを生成する撮像手段と、
前記撮像手段により生成された画像データを画像ファイルとして少なくとも２種以上の記憶媒体に記録可能な記録手段と、
前記画像ファイルのファイル名を決定する決定手段と、を備え、
前記決定手段は、前記記録手段が画像ファイルを記録する記憶媒体の種類に基づいて、前記画像ファイルのファイル名を決定する、
撮像装置。
【請求項２】
前記決定手段は、前記記録手段が画像ファイルを記録する記憶媒体の種類を示す識別子を前記画像ファイルのファイル名の先頭文字とし、前記画像ファイルのファイル名を決定する、
請求項１に記載の撮像装置。
【発明の詳細な説明】
【技術分野】
【０００１】
本発明は撮像装置に関し、特に、複数種類の記憶媒体に画像ファイルを記録できる撮像装置に関する。
【背景技術】
【０００２】
特許文献１は、撮像装置を開示する。この撮像装置は、新たな画像ファイルを生成した際に、新たな画像ファイルのファイル名が既に同一フォルダ内に存在する場合に、新たなフォルダを生成し、新たなフォルダ内に新たな画像ファイルを格納する。
【０００３】
これにより、この撮像装置は、同一フォルダ内においてファイル名が重複することを防止することができる。
【先行技術文献】
【特許文献】
【０００４】
【特許文献１】特開２００８−１６０２６７号公報
【発明の概要】
【発明が解決しようとする課題】
【０００５】
しかしながら、上記特許文献１が開示する撮像装置は、画像ファイルを記録する記憶媒体を一つしか有していない。
【０００６】
本発明は、記憶媒体が複数ある場合にファイル名を重複させない撮像装置を提供することを目的とする。
【課題を解決するための手段】
【０００７】
上記課題を解決するために、本発明にかかる撮像装置は、被写体像を撮像し、画像データを生成する撮像手段と、撮像手段により生成された画像データを画像ファイルとして少なくとも２種以上の記憶媒体に記録可能な記録手段と、画像ファイルのファイル名を決定する決定手段と、を備え、決定手段は、記録手段が画像ファイルを記録する記憶媒体の種類に基づいて、画像ファイルのファイル名を決定する。
【０００８】
また、本発明にかかる撮像装置において、決定手段は、記録手段が画像ファイルを記録する記憶媒体の種類を示す識別子を画像ファイルのファイル名の先頭文字とし、画像ファイルのファイル名を決定するようにしてもよい。
【発明の効果】
【０００９】
本発明によれば、記憶媒体が複数ある場合にファイル名を重複させない撮像装置を提供できる。
【図面の簡単な説明】
【００１０】
【図１】デジタルビデオカメラ１００のブロック図
【図２】ディレクトリ構成を説明するための模式図
【図３】静止画像の撮影動作を説明するためのフローチャート
【発明を実施するための形態】
【００１１】
〔１．実施の形態１〕
〔１−１．概要〕
本実施の形態にかかるデジタルビデオカメラ１００は、ハードディスクドライブ１８０及びメモリカード２００に画像ファイルを記録することができる。
【００１２】
本実施の形態にかかるデジタルビデオカメラ１００は、ハードディスクドライブ１８０及びメモリカード２００に記録する画像ファイルのファイル名の重複を防止することができる。
【００１３】
〔１−２．電気的構成〕
本実施の形態にかかるデジタルビデオカメラ１００の電気的構成について、図１を用いて説明する。図１は、デジタルビデオカメラ１００の構成を示すブロック図である。デジタルビデオカメラ１００は、１又は複数のレンズからなる光学系１１０により形成された被写体像をＣＣＤイメージセンサー１３０で撮像する。ＣＣＤイメージセンサー１３０で生成された画像データは、画像処理部１５０で各種処理が施され、ハードディスクドライブ１８０又はメモリカード２００に格納される。以下、デジタルビデオカメラ１００の構成を詳細に説明する。
【００１４】
光学系１１０は、ズームレンズやフォーカスレンズから構成される。ズームレンズを光軸に沿って移動させることにより、被写体像の拡大、縮小をすることができる。また、フォーカスレンズを光軸に沿って移動させることにより、被写体像のピントを調整することができる。
【００１５】
レンズ駆動部１２０は、光学系１１０に含まれる各種レンズを駆動する。例えばズームレンズを駆動するズームモータや、フォーカスレンズを駆動するフォーカスモータがこれにあたる。
【００１６】
ＣＣＤイメージセンサー１３０は、光学系１１０で形成された被写体像を撮像して、画像データを生成する。ＣＣＤイメージセンサー１３０は、露光、転送、電子シャッタなどの各種動作を行う。なお、本実施の形態にかかるデジタルビデオカメラ１００においては、撮像手段の一例としてＣＣＤイメージセンサー１３０をあげたが、必ずしもこのような構成である必要はない。例えば、撮像手段としては、ＣＭＯＳイメージセンサーやＮＭＯＳイメージセンサー等を用いても良い。
【００１７】
Ａ／Ｄコンバータ１４０は、ＣＣＤイメージセンサー１３０で生成されたアナログ画像データをデジタル画像データに変換する。
【００１８】
画像処理部１５０は、ＣＣＤイメージセンサー１３０で生成された画像データに対して各種処理を施す。画像処理部１５０は、ＣＣＤイメージセンサー１３０で生成された画像データに対して処理を施し、表示モニタ２２０に表示するための画像データを生成したり、ハードディスクドライブ１８０やメモリカード２００に格納するための画像データを生成したりする。例えば、画像処理部１５０は、ＣＣＤイメージセンサー１３０で生成された画像データに対してガンマ補正やホワイトバランス補正、傷補正などの各種処理を行う。また、画像処理部１５０は、ＣＣＤイメージセンサー１３０で生成された画像データに対して、ＭＰＥＧー４／ＡＶＣ規格（MPEG-4 Part10 Advanced Video Coding）に準拠した圧縮方式やＪＰＥＧ圧縮方式（Joint Photographic Expert Group）等により画像データを圧縮する。画像処理部１５０は、ＤＳＰやマイコンなどで実現可能である。
【００１９】
コントローラー１６０は、全体を制御する制御手段である。コントローラー１６０は、半導体素子などで実現可能である。コントローラー１６０は、ハードウェアのみで構成してもよいし、ハードウェアとソフトウェアとを組み合わせることにより実現してもよい。コントローラー１６０は、マイコンなどで実現できる。
【００２０】
バッファ１７０は、画像処理部１５０及びコントローラー１６０のワークメモリとして機能する。バッファ１７０は、例えば、ＤＲＡＭ、強誘電体メモリなどで実現できる。
【００２１】
ハードディスクドライブ１８０は、画像処理部１５０で生成された画像ファイル等のデータを格納可能である。カードスロット１９０は、メモリカード２００を着脱可能である。カードスロット１９０は、機械的及び電気的にメモリカード２００と接続可能である。メモリカード２００は、フラッシュメモリや強誘電体メモリなどを内部に含み、画像処理部１５０で生成された画像ファイル等のデータを格納可能である。
【００２２】
操作部材２１０は、使用者からの操作を受け付けるユーザーインターフェースの総称である。例えば、使用者からの操作を受け付ける十字キーや決定釦等がこれにあたる。
【００２３】
表示モニタ２２０は、ＣＣＤイメージセンサー１３０で生成した画像データが示す画像や、ハードディスクドライブ１８０やメモリカード２００から読み出した画像データが示す画像を表示可能である。
【００２４】
マイク２６０は、音声を集音する。マイク２６０により集音された音声は、ハードディスクドライブ１８０又はメモリカード２００に記録される。
【００２５】
スピーカ２７０は、ハードディスクドライブ１８０又はメモリカード２００に格納されている動画像ファイルに画像データと重畳して格納されている音声データを出力する。
【００２６】
〔１−３．ディレクトリ構成〕
次に、本実施の形態にかかるデジタルビデオカメラ１００に設けられているハードディスクドライブ１８０及びメモリカード２００のディレクトリ構成について図２を用いて説明する。図２は、ハードディスクドライブ１８０及びメモリカード２００のディレクトリ構成について説明するための模式図である。
【００２７】
図２（１）は、メモリカード２００のディレクトリ構成を示している。メモリカード２００は、Ｒｏｏｔの下の階層に「ＤＣＩＭ」フォルダと「ＰＲＩＶＡＴＥ」フォルダとを有している。メモリカード２００は、「ＤＣＩＭ」フォルダの下の階層に「１００ＣＤＰＦＱ」フォルダを有している。メモリカード２００は、「１００ＣＤＰＦＱ」フォルダの下の階層にＪＰＥＧファイルを格納する。このＪＰＥＧファイルのファイル名は、先頭に必ず「Ｓ」という文字を有する。一方、メモリカード２００は、「ＰＲＩＶＡＴＥ」フォルダの下の階層に「ＡＶＣＨＤ」フォルダを有し、「ＡＶＣＨＤ」フォルダの下の階層に動画像ファイルを格納する。
【００２８】
一方、図２（２）は、ハードディスクドライブ１８０のディレクトリ構成を示している。ハードディスクドライブ１８０は、Ｒｏｏｔの下の階層に「ＤＣＩＭ」フォルダと「ＡＶＣＨＤ」フォルダとを有している。ハードディスクドライブ１８０は、「ＤＣＩＭ」フォルダの下の階層に「１００ＣＤＰＦＱ」フォルダを有している。ハードディスクドライブ１８０は、「１００ＣＤＰＦＱ」フォルダの下の階層にＪＰＥＧファイルを格納する。このＪＰＥＧファイルのファイル名は、先頭に必ず「Ｈ」という文字を有する。一方、ハードディスクドライブ１８０は、「ＡＶＣＨＤ」フォルダの下の階層に動画像ファイルを格納する。
【００２９】
〔１−４．撮影動作〕
次に、本実施の形態にかかるデジタルビデオカメラ１００による静止画像の撮影動作について図３を用いて説明する。図３は、静止画像の撮影動作を説明するためのフローチャートである。
【００３０】
使用者は、操作部材２１０に含まれるモード設定釦を操作することにより、デジタルビデオカメラ１００を静止画撮影モード若しくは動画撮影モードに設定することができる（Ｓ１００）。なお、本実施の形態にかかるデジタルビデオカメラ１００は、動画撮影モードにおいて使用者から静止画の撮影指示を受け付けると、静止画を撮影できる。静止画撮影モードに設定されると、コントローラー１６０は、操作部材２１０に含まれる静止画撮影釦が押下されるまで待機する（Ｓ１１０）。静止画撮影釦が押下されると、コントローラー１６０は、撮影した画像データの記録先としてハードディスクドライブ１８０又はメモリカード２００のいずれが選択されているかを判断する（Ｓ１２０）。
【００３１】
メモリカード２００が選択されていると判断すると、コントローラー１６０は、生成した画像ファイルのファイル名を「Ｓ＊＊＊××××.jpg」とする（Ｓ１３０）。ここで、「＊＊＊」は、フォルダ番号に対応付けられ、「１００」〜「９９９」の値が割り当てられる。また、「××××」は、同一フォルダ内における撮影順に番号を割り当てられ、「０００１」〜「９９９９」が割り当てられる。
【００３２】
一方、ハードディスクドライブ１８０が選択されていると判断すると、コントローラー１６０は、生成した画像ファイルのファイル名を「Ｈ＊＊＊××××.jpg」とする（Ｓ１４０）。ここで、「＊＊＊」は、フォルダ番号に対応付けられ、「１００」〜「９９９」の値が割り当てられる。また、「××××」は、同一フォルダ内における撮影順に番号を割り当てられ、「０００１」〜「９９９９」が割り当てられる。
【００３３】
このように、本実施の形態にかかるデジタルビデオカメラ１００は、静止画像ファイルを記録する記憶媒体の種類に応じて、画像ファイルのファイル名を変更することとした。このようにした理由を次に説明する。
【００３４】
例えば、複数の記憶媒体に画像ファイルを記録する際に、記憶媒体ごとに特に違いを設けず「＊＊＊××××.jpg」という名称をそれぞれの記憶媒体に記憶させる画像ファイルに与えたとする。ここで、「＊＊＊」は、フォルダ番号に対応付けられ、「１００」〜「９９９」の値が割り当てられる。また、「××××」は、同一フォルダ内における撮影順に番号を割り当てられ、「０００１」〜「９９９９」が割り当てられる。この場合においても、それぞれの画像ファイルが最初に記憶された記憶媒体から移動させられなければ問題は生じない。しかしながら、使用者がメモリカードに記憶されている画像ファイル及びＨＤＤに記憶されている画像ファイルを共にＰＣ上の同一のフォルダに移動するような場合も考えられる。このような場合に、記憶媒体ごとにファイル名を変えていないと、同一のファイル名を有する画像ファイルの一方は消えてしまうこととなる。従って、本実施の形態にかかるデジタルビデオカメラ１００は、画像ファイルのファイル名をその画像ファイルを記憶させる記憶媒体ごとに変更することとした。
【００３５】
また、本実施の形態にかかるデジタルビデオカメラ１００は、静止画像ファイルのファイル名を決定する際に、静止画像ファイルを記録する記憶媒体の種類を示す識別子（記憶媒体がメモリカード２００である場合には「Ｓ」、記憶媒体がハードディスクドライブ１８０である場合には「Ｈ」）をファイル名の先頭に設けることとした。このようにした理由を次に説明する。
【００３６】
例えば、複数の記憶媒体に静止画像ファイルを記録する際に、静止画像ファイルを記録する記憶媒体を示す識別子をファイル名の先頭以外に設ける場合を考える。ここでは一例として、識別子をファイル名のうち、フォルダ番号とファイル番号との間に設ける場合を考える。このような場合に、メモリカード２００に記録される静止画像ファイルのファイル名は、「＊＊＊Ｓ××××．jpg」となる。一方、ハードディスクドライブ１８０に記録される静止画像ファイルのファイル名は、「＊＊＊H××××．jpg」となる。
【００３７】
このような場合に、メモリカード２００に記録されている静止画像ファイル及びハードディスクドライブ１８０に記録されている静止画像ファイルを共にＰＣ上の同一のフォルダに移動するとする。そうすると、それぞれの静止画像ファイルを示すアイコンは、同一フォルダ内においてファイル名順に並んだ状態でＰＣのモニタ上に表示される。
【００３８】
通常、ＰＣ上において、静止画像ファイルをファイル名順に並べると、静止画像ファイルは、ファイル名の先頭の数字若しくはアルファベットが若い順に並べられ、先頭文字が同一の静止画像ファイル間においては、２文字目の数字若しくはアルファベットが若い順に並べられ、先頭文字及び２文字目が同一の静止画像ファイル間においては、３文字目の数字若しくはアルファベットが若い順に並べられる。要するに、静止画像ファイルは、ファイル名の先頭文字から順に優先的にファイル名の数字若しくはアルファベットが若い順に並べられる。
【００３９】
従って、ファイル名の先頭以外に記憶媒体の識別子を設けると、それらの静止画像ファイルは、ＰＣ上の同一フォルダ内において、記憶媒体ごとに分類された形では並べられず、いずれの記憶媒体に記憶されている静止画像ファイルも混ざり合って並べられてしまう。そこで、本実施の形態にかかるデジタルビデオカメラ１００においては、静止画像ファイルを記録する記憶媒体を示す識別子をファイル名の先頭に設けることとした。これにより、別々の記憶媒体に記録されている静止画像ファイルをＰＣ上の同一のフォルダに移動したとしても、それぞれの静止画像ファイルが記録されている記憶媒体ごとに整理された形でフォルダ内に並べられる。例えば、本実施の形態においては、ＰＣ上の同一フォルダ内において、まず先頭に「Ｈ」が付された静止画像ファイルが全て並べられ、続けて、先頭に「Ｓ」が付された静止画像ファイルが全て並べられることとなる。
【００４０】
なお、本実施の形態にかかるデジタルビデオカメラ１００は、静止画像ファイルのファイル名だけを記憶媒体ごとに変更することとしたが、必ずしもこのような構成とする必要はない。例えば、動画像ファイルのファイル名についても記憶させる記憶媒体ごとに変更するようにしてもよい。
【００４１】
なお、本実施の形態にかかるデジタルビデオカメラ１００は、記憶媒体ごとの識別子をアルファベットとしたが、数字や記号等の文字であってもよい。
【００４２】
また、本実施の形態にかかるデジタルビデオカメラ１００は、メモリカード２００とハードディスクドライブ１８０との2種の記憶媒体に画像ファイルを記録することとしたが、必ずしもこのような構成である必要はない。例えば、メモリカード２００とハードディスクドライブ１８０の他に内蔵フラッシュメモリ等に記録できるような構成であってもよい。要するに複数種類の記憶媒体に記録できる構成であればよい。
【産業上の利用可能性】
【００４３】
本発明は、デジタルビデオカメラやデジタルスチルカメラのような撮像装置に適用可能である。
【符号の説明】
【００４４】
１００    デジタルビデオカメラ
１１０    光学系
１２０    レンズ駆動部
１３０    ＣＣＤイメージセンサー
１４０    Ａ／Ｄコンバータ
１５０    画像処理部
１６０    コントローラー
１７０    バッファ
１８０    ハードディスクドライブ
１９０    カードスロット
２００    メモリカード
２１０    操作部材
２２０    表示モニタ
２６０    マイク
２７０    スピーカ
【図１】
2010278699.tif 000003
【図２】
2010278699.tif 000004
【図３】
2010278699.tif 000005